(57)【特許請求の範囲】
【請求項１】
靴底上に敷かれる靴中敷であって、足裏形状に対応する平面形状の第１、第２の柔軟なシート材が、可撓性を有する合成樹脂板よりなる支持基板と弾性体よりなる中足骨支持板とを中間に挟んで一体に貼設されてなり、前記支持基板は、足の踵骨を中心とする足裏領域を支持する第１の支持板部と、足の踵骨から中足骨にわたる足裏領域を支持する第２の支持板部とを有し、第２の支持板部の中足骨を支持する板面上に、先端部分が第２の支持板部の先端縁より突出するように前記中足骨支持板が重ねられており、前記第２の支持板部は、足の土踏まずのアーチに対応して湾曲する形態を有し、外側縁に対して内側縁の肉厚が厚く、内側縁から外側縁にかけて肉厚が薄くなっており、前記第１の支持板部は、中心部分が開口部分となるように半周し、その半周部分の一方の端部は解放端部、他方の端部は第２の支持板部と連続する連結端部になっており、前記解放端部および連結端部は、上面が外周縁から内周縁にかけて低く傾斜してなる靴中敷。
【発明の詳細な説明】
【技術分野】
【０００１】
この発明は、ヒールを備えたパンプスなどの靴に適用される靴中敷に関し、この発明は特に、外反足に伴う障害の発生を抑制する機能を有する靴中敷に関する。
【背景技術】
【０００２】
人間の歩行のメカニズムは、まず足の踵が着地し（この段階を「接衝期」という。）、その後、踵にかかった重心が前足部の第５指の中足骨骨頭部から第１指（以下「拇指」ともいう。）の中足骨骨頭部へ移動して安定した立位となり（この段階を「中立期」という。）、その後、背屈位で主として第１指の中足骨骨頭部（以下「拇指球」ともいう。）を支点として床面が蹴り上げられて離床する（この段階を「離床期」という。）、というものである。この歩行のメカニズムに沿った理想的な歩行が行われることによって、身体各部への負担が少なくなり、種々の足の障害の発生を防止できる。
【０００３】
上記の正しい歩行は、正常な足の人でないと行うことができず、大部分の人は足になんらかの欠陥や障害を有しているため、そのような正しい歩行は容易でない。ここで、「正常な足」とは、図９に示すように、足の距骨Ａに対して距骨下関節Ｂおよび踵骨Ｃが真っ直ぐに延びた足のことであり、踵骨Ｃは地面に対して垂直である。女性の大半は、例えば図１０に示すように、距骨Ａに対して距骨下関節Ｂや踵骨Ｃが外側へ反っている足、すなわち、踵が内側に彎曲してしまった足（これを「外反足」という。）になっており、接衝期から中立期に入ったとき、拇指の側に過度な荷重がかかって歩行中にオーバープロネーション（過外反運動）を引き起こし、その結果、拇指は付け根から外側に向けて次第に歪み、外反母趾のような障害が生じる。なお、図９，１０は右足を示している。
【０００４】
パンプスのようなヒールの高い靴の場合、ヒールが着地するとすぐに蹴り上げ動作へ移行することから、接衝期がきわめて短く、接衝期と中立期とがほぼ同時期となるため、中立期の着地が安定せず、外反足の人は、前足部（指骨に対応する部分）が内側へ倒れ込む。このため、拇指の側へ過度な荷重がかかり、蹴り上げ動作時の拇指球に対する負荷が大きくなり、オーバープロネーションの発生を抑制できない。その結果、拇指は付け根から外側に向けて次第に歪み、外反母趾になり易い。さらに、ヒールが高いことで、接衝期が短く、重心が靴中で足のつま先の側に移行するため、足の第１指〜第５指の中足骨骨頭部に掛かる荷重と衝撃とが大きなものとなり、中足骨骨頭部に痛みを生じさせる。
【０００５】
上記の問題を解決するため、出願人は、先般、外反足の人であっても、拇指の側へ荷重がかかり過ぎるのを防止してオーバープロネーションの発生を抑制し、加えて、足の第１指〜第５指の中足骨骨頭部に掛かる荷重と衝撃とを緩和して中足骨骨頭部の痛みを軽減したヒール付きの靴を提案した（例えば、特許文献１参照）。
【０００６】
この靴は、図１１に示すように、中底１０３と中底１０３上に配置された敷き革（図示せず）との間に、足の踵の位置には、下面に対して上面が内側から外側へ低く傾斜する傾斜面の踵支持板１００を、足の土踏まずの位置には、土踏まずのアーチに対応する形状の当て板１０１を、足の中足骨の位置には、中足骨を支持する中足骨支持板１０２を、それぞれ配設したものである。踵支持板１００にはエチレンー酢酸ビニル共重合体（ＥＶＡ）のような比較的硬いクッション材を、中足骨支持板１０２には中程度の硬さのクッション材を、当て板１０１には低反発ウレタンフォームのようなクッション材を、それぞれ用いている。
【０００７】
このヒール付きの靴では、足の荷重が踵支持板１００の傾斜面に作用すると、荷重に対する傾斜面からの抗力の外向きの水平分力が距骨下関節や踵骨の外側への反りを矯正する力として作用するので、拇指の側に荷重がかかり過ぎるのが防止され、オーバープロネーションの発生が抑制される。
【０００８】
ヒール付きの靴では、ヒールが着地するとすぐに蹴り上げ動作へ移行する結果、接衝期がきわめて短く、中立期の着地が安定しないので、上記の踵支持板１００による距骨下関節や踵骨の制御だけではオーバープロネーションの発生を抑制するのに十分でなく、外反足の人は前足部が内側へ倒れ込む。しかし、足の土踏まずの位置に、土踏まずのアーチに対応する形状の当て板１０１を配設しているので、前足部の内側への倒れ込みが阻止され、その結果、拇指の側へ荷重がかかり過ぎることがなく、蹴り上げ動作時の拇指球に対する負荷が小さくなり、オーバープロネーションの発生が抑制される。
【０００９】
さらに、足の中足骨の位置に、弾性を有する中足骨支持板１０２が配設されているので、拇指球は中底の上面から離れて強く接触せず、蹴り上げ動作時、足の第２指〜第５指の中足骨骨頭部の基端部に荷重がかかって拇指球への負荷は一層小さくなる。その結果、オーバープロネーションの発生が抑制され、外反母趾を生じさせない。
【００１０】
さらに、ヒールが高いことで、接衝期が短く、しかも、重心が靴中で足のつま先の側に移行しているが、足の第２指〜第５指の中足骨骨頭部に掛かる荷重は弾性を有する中足骨支持板１０２によって支持されているので、各中足骨骨頭部に作用する衝撃が緩和される。また、足の第２指〜第５指の中足骨骨頭部は、中足骨支持板１０２の前端縁と中底の上面との間に生じる段差によって中底の上面から離れ、中底の上面に強く突き当たらないので、中足骨骨頭部の痛みが軽減される。
【先行技術文献】
【特許文献】
【００１１】
【特許文献１】特開２０１１−４５４８１号公報
【発明の概要】
【発明が解決しようとする課題】
【００１２】
しかし、上記した構成のヒール付きの靴は、部品点数が多く、中底と敷き革との間の決められた位置に、踵支持板１００、当て板１０１、中足骨支持板１０２などの各部品を個別に配設する必要があり、各部品の位置決めに手数がかかり、製造コストに影響する。
また、当て板１０１は低反発ウレタンフォームのようなクッション材を用いて構成されているので、前足部の内側への倒れ込みに対して圧縮変形し、倒れ込みを阻止する機能が十分でなく、その結果、拇指の側へ荷重がかかり、蹴り上げ動作時の拇指球に対する負荷が大きくなる。
さらに、外反足に伴う障害の発生を抑制するのに、上記した構成の専用のヒール付きの靴を購入する必要があり、このため、既存の靴に対しても、外反足に伴う障害の発生を抑制する機能を付与し得る靴中敷の出現が要望されている。
【００１３】
この発明は、上記の要望に応えるもので、外反足の人であっても、拇指の側へ荷重がかかり過ぎるのを防止してオーバープロネーションの発生を抑制し得る靴中敷を提供することを目的とする。
また、この発明が他に目的とするところ、部品点数が少なく、部品の位置決めに手数がかからず、既存の靴についても、外反足に伴う障害の発生を抑制する機能を付加できる靴中敷を提供することにある。
【課題を解決するための手段】
【００１４】
この発明による靴中敷は、靴底上に敷かれるものであって、足裏形状に対応する平面形状の第１、第２の柔軟なシート材が、可撓性を有する合成樹脂板よりなる支持基板と弾性体よりなる中足骨支持板とを中間に挟んで一体に貼設されてなる。前記支持基板は、足の踵骨を中心とする足裏領域を支持する第１の支持板部と、足の踵骨から中足骨にわたる足裏領域を支持する第２の支持板部とを有し、第２の支持板部の中足骨を支持する板面上に、先端部分が第２の支持板部の先端縁より突出するように前記中足骨支持板が重ねられている。前記第２の支持板部は、足の土踏まずのアーチに対応して湾曲する形態を有し、外側縁に対して内側縁の肉厚が厚く、内側縁から外側縁にかけて肉厚が薄くなっている。前記第１の支持板部は、中心部分が開口部分となるように半周し、その半周部分の一方の端部は解放端部、他方の端部は第２の支持板部と連続する連結端部になっており、前記解放端部および連結端部は、上面が外周縁から内周縁にかけて低く傾斜している。
【００１５】
上記した構成の靴中敷をヒール付きの靴の靴底上に敷いたとき、支持基板の第２の支持板部が足の土踏まずに嵌まるような状態で足の土踏まずを安定支持するので、外反足の人であっても、足の内側への倒れ込みが阻止され、拇指の側への荷重の掛かり過ぎが防止され、オーバープロネーションの発生が抑制される。
パンプスのようなヒールの高い靴の場合、ヒールが着地するとすぐに蹴り上げ動作へ移行することから、接衝期がきわめて短く、接衝期と中立期とがほぼ同時期となるため、中立期の着地が安定せず、外反足の人は、前足部（指骨に対応する部分）が内側へ倒れ込む傾向にあるが、上記した構成の靴中敷を用いると、接衝期に体重が靴中敷に掛かったとき、支持基板の第２の支持板部が押圧されて撓み、接衝期から離床期への移行に際して体重が踵から前足部へ移るとき、支持基板の第２の支持板部への押圧が解除される結果、第２の支持板部の復元力が足の土踏まずを押し上げ、重心が前足部へ円滑に移動して推進力として機能する。これにより、蹴り上げ動作時の拇指球に対する負荷が軽減され、また、支持基板の第２の支持板部が足の土踏まずを安定支持しているので、前足部の内側への倒れ込みが阻止され、拇指の側へ荷重がかかり過ぎるのが防止される。
【００１６】
さらに、足の中足骨の位置に、弾性を有する中足骨支持板が配設されているので、拇指球は中底の上面から離れて強く接触せず、蹴り上げ動作時、足の第２指〜第５指の中足骨骨頭部の基端部に荷重がかかって拇指球への負荷は一層小さくなる。その結果、オーバープロネーションの発生が抑制され、外反母趾を生じさせない。
さらに、ヒールが高いことで、接衝期が短く、しかも、重心が靴中で足のつま先の側に移行しているが、足の第１指〜第５指の中足骨骨頭部に掛かる荷重は弾性を有する中足骨支持板によって支持されているので、各中足骨骨頭部に作用する衝撃が緩和される。また、足の第１指〜第５指の中足骨骨頭部は、中足骨支持板の前端縁と中底の上面との間に生じる段差によって中底の上面から離れ、中底の上面に強く突き当たらないので、中足骨骨頭部の痛みが軽減される。
【００１７】
さらにまた、靴中敷の製作に際して、第１、第２の柔軟なシート材間に支持基板と中足骨支持板とを挟んで一体の貼設するだけであるから、部品点数が少なく、各部品の位置決めが容易であり、製作コストが安価となる。
【００１８】
さらに、前記中足骨支持板は、先端部分を支持基板の先端縁より突出させることで、支持基板の先端縁が弾性を有する中足骨支持板により覆われているので、支持基板の先端縁が中足骨に当たって痛みを感じさせることがない。
【００１９】
さらにまた、支持基板の第２の支持板部は内側縁の肉厚が厚いので、第２の支持板部の内側縁は容易に変形せず、第２の支持板部の保形性が高められ、足の土踏まずが第２に支持板部により安定して支持される。また、外縁部の肉厚が薄くなっているので、段差が生じず、中足骨支持板が存在することによる違和感を感じさせず、中足骨支持板の外周縁が摩耗して損傷するのも防止される。
【発明の効果】
【００２０】
この発明によると、外反足の人であっても、拇指の側へ荷重がかかり過ぎるのを防止してオーバープロネーションの発生を抑制できる。また、足の中足骨骨頭部に掛かる荷重と衝撃とを緩和して中足骨骨頭部の痛みを軽減できる。
また、部品点数が少なく、部材の位置決めが容易であり、靴中敷の製作コストを抑えることができるうえに、既存の靴についても、この発明による靴中敷を用いることにより外反足に伴う障害の発生を抑制する機能を付与ができる。
【図面の簡単な説明】
【００２１】
【図１】この発明に係る靴中敷が用いられたヒール付きの靴の平面図である。
【図２】この発明の一実施例である靴中敷の縦断面図である。
【図３】靴中敷の外形および構成を足の骨格とともに示した平面図である。
【図４】支持基板の外観を示す平面図である。
【図５】図４のＡ−Ａ線に沿う断面図である。
【図６】図４のＢ−Ｂ線に沿う断面図である。
【図７】図４のＣ−Ｃ線に沿う断面図である。
【図８】支持基板および中足骨支持板上に支持された足の骨格を示す側面図である。
【図９】足の踵の骨格を示す背面図である。
【図１０】外反足の骨格を示す背面図である。
【図１１】外反足に伴う障害の発生を抑制する機能を有する従来のヒール付き靴を示す平面図である。
【発明を実施するための形態】
【００２２】
図１は、この発明に係る靴中敷１が用いられた婦人靴１０の外観を示している。
図示例の婦人靴１０は、ヒールの高いパンプスであり、１１が甲革、１２が履き口である。この婦人靴１０の靴底上にこの発明に係る靴中敷１が敷かれている。なお、図示例は右足のパンプスを示すが、左足も同様であり、ここでは説明を省略する。
【００２３】
この実施例の靴中敷１は、図２に示すように、表地を構成する第１のシート材２と裏地を構成する第２のシート材３とが重ね合わされて接着剤により一体に貼設されたもので、第１、第２のシート材２，３間に支持基板４と中足骨支持板７とが挟着されている。第１、第２の各シート材２，３は、足裏形状にほぼ一致する平面形状のもので、例えば人工皮革のように、容易に変形する柔軟な材料によって形成されている。
【００２４】
支持基板４および中足骨支持板７は、図３に示すように、足９の所定の骨格各部に対応させて位置決め配置されている。なお、図３において、一点鎖線で示す外形線は靴中敷１の輪郭を、実線で示す外形線は足９の輪郭を、足９の輪郭内の実線は骨格を、それぞれ示している。
同図中、９１ａ〜９１ｅは足９の第１指〜第５指の指骨である。第１指（拇指）の指骨９１ａは基節骨９２ａと末節骨９３ａとで構成される。第２指〜第５指の各指骨９１ｂ〜９１ｅは基節骨９２ｂ〜９２ｅと末節骨９３ｂ〜９３ｅと中接骨９４ｂ〜９４ｅとで構成される。９５ａ〜９５ｅは第１指〜第５指の中足骨であり、９６ａ〜９６ｅは第１指〜第５指の中足骨骨頭部である。９７は踵骨、９８は土踏まずである。
【００２５】
前記支持基板４は、可撓性を有する合成樹脂板により形成され、接衝期における押圧により変形して撓み、体重が踵から前足部へ移るときに押圧が解除されると、復元力により原形に復帰する。この実施例では、熱可塑性ポリウレタン（ＴＰＵ）を用いて射出成形により形成されている。なお、合成樹脂材料として、熱可塑性ポリウレタンに代えて、例えばポリウレタン（ＰＵ）を用いることもできる。この支持基板４として、デュロメータ硬さが７０以上のものが好適であり、８０以上、９０以下のものがさらに望ましい。
【００２６】
前記中足骨支持板７は、エチレン−酢酸ビニル共重合体（ＥＶＡ）のような比較的硬いクッション材を用いて形成されているが、これに限らず、適度の硬さとクッション性を有する衝撃吸収素材であれば、ポロプロピレンテレフタレート（ＰＰＴ）やＰＯＲＯＮ（登録商標）など、種々の材質のものを用いることができる。
【００２７】
前記支持基板４は、足の踵骨９７を中心とする足裏領域を支持する第１の支持板部５と、足の踵骨９７から第１指〜第４指の中足骨９５ａ〜９５ｄにわたる足裏領域を支持する第２の支持板部６とを有している。第２の支持板部６の第１指〜第４指の中足骨９５ａ〜９５ｄを支持する板面上に、先端部分が支持基板４の第２の支持板部６の先端縁より突出するように中足骨支持板７が重ねられて一体に接着されている。この実施例では、中足骨支持板７は第２の支持板部６の先端縁や先端部の両側縁部を十分に覆うことできる大きさおよび形状に形成されており、第１指〜第５指の中足骨９５ａ〜９５ｅにわたる足裏領域を支持するようになっている。
【００２８】
前記支持基板４は、第１の支持板部５と第２の支持板部６とが一連一体に形成されている。第２の支持板部６は、図４〜図６に示すように、足９の土踏まず９８のアーチに対応して湾曲する形態になっており、外側縁６２に対して内側縁６１の肉厚が厚く、内側縁６１から外側縁６２にかけて肉厚が次第に薄くなっている。
【００２９】
第１の支持板部５は、足９の踵骨９７を半周だけ周回して囲んでおり、その中心部は踵骨９７に面圧が掛からないように開口部分５３になっている。この開口部分５３があることで踵骨棘による痛みなどが軽減される。前記半周部分の一方の端部は解放端部５１であり、他方の端部は第２の支持板部６と連続する連結端部５２となっている。解放端部５１および連結端部５２は、図７に示すように、上面が外周縁から内周縁にかけて低く傾斜している。なお、第１の支持板部５は、足９の踵骨９７の周囲をほぼ一周するように形成してもよい。
【００３０】
前記中足骨支持板７は、後端部７２から前端部７１にかけて次第に肉厚が厚くなるように形成されている。中足骨支持板７の前端部７１は相応の厚みを有するが、前端部７１、後端部７２、および両側縁部７３，７４は外周面に向けて低い傾斜面に形成されており、これにより支持基板４や第２のシート材３との間に段差５５が生じないように連続させている。
【００３１】
上記した構成の靴中敷１をヒール付きの靴１０の靴底上に敷いたとき、図８に示すように、支持基板４の第２の支持板部６が足９の土踏まず９８に嵌まるような状態で足９の土踏まず９８を安定支持するので、外反足の人であっても、足９の内側への倒れ込みが阻止される。これにより、拇指の側へ荷重がかかり過ぎるのが防止され、オーバープロネーションの発生が抑制される。
【００３２】
パンプスのようなヒールの高い靴１０の場合、ヒールが着地するとすぐに蹴り上げ動作へ移行することから、接衝期がきわめて短く、接衝期と中立期とがほぼ同時期となるため、中立期の着地が安定せず、外反足の人は、前足部（指骨９１ａ〜９１ｅに対応する部分）が内側へ倒れ込む傾向にあるが、上記した構成の靴中敷１を用いると、接衝期に体重が靴中敷１に掛かったとき、支持基板４の第２の支持板部６が押圧されて撓み、接衝期から離床期への移行に際して体重が踵から前足部へ移るとき、支持基板４の第２の支持板部６への押圧が解除される結果、第２の支持板部６の復元力が足９の土踏まず９８を押し上げ、重心が前足部へ円滑に移動して推進力として機能する。これにより、蹴り上げ動作時の拇指球に対する負荷が軽減され、また、支持基板４の第２の支持板部６が足９の土踏まず９８を安定支持しているので、前足部の内側への倒れ込みが阻止され、拇指の側へ荷重がかかり過ぎるのが防止される。
【００３３】
さらに、足９の中足骨９５ａ〜９５ｅの位置に、弾性を有する中足骨支持板７が配設されているので、拇指球は中底の上面から離れて強く接触せず、蹴り上げ動作時、足９の第２指〜第５指の中足骨骨頭部９６ｂ〜９６ｅの基端部に荷重がかかって拇指球への負荷は一層小さくなる。その結果、オーバープロネーションの発生が抑制され、外反母趾を生じさせない。
【００３４】
さらに、ヒールが高いことで、接衝期が短く、しかも、重心が靴中で足のつま先の側に移行しているが、足９の第１指〜第５指の中足骨骨頭部９６ａ〜９６ｅに掛かる荷重は弾性を有する中足骨支持板７によって支持されているので、各中足骨骨頭部９６ａ〜９６ｅに作用する衝撃が緩和される。また、足９の第１指〜第５指の中足骨骨頭部９６ａ〜９６ｅは、中足骨支持板７の前端縁と中底の上面との間に生じる段差によって中底の上面から離れ、中底の上面に強く突き当たらないので、中足骨骨頭部９６ａ〜９６ｅの痛みが軽減される。
【００３５】
この実施例では、支持基板４の先端縁が中足骨支持板７により覆われているので、支持基板４の先端縁が中足骨９５ａ〜９５ｅを当たって痛みを感じさせることがない。
さらに、支持基板４の第２の支持板部６は内側縁の肉厚が厚いので、第２の支持板部６の内側縁は容易に変形せず、第２の支持板部６の保形性が高められるので、足９の土踏まず９８が第２に支持板部６により安定して支持される。また、外縁部の肉厚が薄いので、段差が生じず、中足骨支持板７が存在することによる違和感を感じさせず、中足骨支持板７の外周縁が摩耗して損傷するのも防止される。
【符号の説明】
【００３６】
１    靴中敷
２    第１のシート材
３    第２のシート材
４    支持基板
５    第１の支持板部
６    第２の支持板部
７    中足骨支持板
１０  婦人靴
９５ａ〜９５ｅ  中足骨
９７    踵骨
【図１】
0005984152.tif 000002
【図２】
0005984152.tif 000003
【図３】
0005984152.tif 000004
【図４】
0005984152.tif 000005
【図５】
0005984152.tif 000006
【図６】
0005984152.tif 000007
【図７】
0005984152.tif 000008
【図８】
0005984152.tif 000009
【図９】
0005984152.tif 000010
【図１０】
0005984152.tif 000011
【図１１】
0005984152.tif 000012